(57)【特許請求の範囲】
【請求項１】
複数の領域を有する空間に設置された機器のそれぞれについて、各機器におけるエネルギーの使用状況に関する機器情報を記憶するとともに、前記領域と利用者とを対応付けて記憶する記憶部と、
前記記憶部に記憶された機器情報を用いて、前記複数の領域のそれぞれにおけるエネルギーの使用量を、予め定められたアルゴリズムに従って推定する推定部と、
前記領域毎に設けられ、各領域におけるエネルギーの使用量を実測する複数の実測装置のそれぞれによって実測された使用量と前記推定部により推定された使用量との差分が予め定められた条件を満たす領域について、該領域に対応する利用者を前記記憶部の記憶内容を参照して特定する特定部と、
前記特定部により特定された利用者に対して前記機器情報の入力を促す情報を出力する情報出力部と、
前記機器情報の入力を受け付ける入力受付部と、
前記入力受付部が受け付けた機器情報を用いて前記記憶部の記憶内容を更新する更新部と、
前記更新部による更新履歴を前記機器毎に記憶する更新履歴記憶部と、
を具備し、
前記特定部は、前記更新履歴記憶部に記憶された更新履歴が予め定められた条件を満たす機器に対応する利用者を特定することを特徴とするエネルギー使用量管理装置。
【請求項２】
前記記憶部は、前記機器と前記利用者とを対応付けて記憶し、
前記推定部は、前記記憶部に記憶された機器情報を用いて、前記複数の領域のそれぞれにおけるエネルギーの使用量を、予め定められたアルゴリズムに従って前記機器毎に推定し、
前記特定部は、前記推定部により推定された使用量と前記実測装置によって実測された使用量との差分が予め定められた条件を満たす領域について、該領域に設置された機器のうち、前記推定部によって推定された使用量が予め定められた条件を満たす機器に対応する利用者を、前記記憶部の記憶内容を参照して特定する
ことを特徴とする請求項１に記載のエネルギー使用量管理装置。
【請求項３】
前記機器の稼動状況を示す稼動状況情報を、通信手段を介して該機器から取得する取得部
を具備し、
前記推定部は、前記記憶部に記憶された機器情報及び前記取得部により取得された情報を用いて前記使用量を推定し、
前記特定部は、前記推定部により推定された使用量と前記実測装置によって実測された使用量との差分が予め定められた条件を満たす領域について、該領域に設置された機器のうち、前記取得部により前記稼動状況情報が取得されていない機器に対応する利用者を、前記記憶部の記憶内容を参照して特定する
ことを特徴とする請求項１に記載のエネルギー使用量管理装置。
【請求項４】
前記特定部は、前記更新履歴で示される更新の頻度が予め定められた条件を満たす機器に対応する利用者を特定する
ことを特徴とする請求項１乃至３のいずれか１項に記載のエネルギー使用量管理装置。
【請求項５】
前記特定部は、前記更新履歴で示される更新した前記機器情報の値の変更量が予め定められた条件を満たす機器に対応する利用者を特定する
ことを特徴とする請求項１乃至３のいずれか１項に記載のエネルギー使用量管理装置。
【請求項６】
コンピュータを、
複数の領域を有する空間に設置された機器のそれぞれについて、各機器におけるエネルギーの使用状況に関する機器情報を記憶するとともに、前記領域と利用者とを対応付けて記憶する記憶部と、
前記記憶部に記憶された機器情報を用いて、前記複数の領域のそれぞれにおけるエネルギーの使用量を、予め定められたアルゴリズムに従って推定する推定部と、
前記領域毎に設けられ、各領域におけるエネルギーの使用量を実測する複数の実測装置のそれぞれによって実測された使用量と前記推定部により推定された使用量との差分が予め定められた条件を満たす領域について、該領域に対応する利用者を前記記憶部の記憶内容を参照して特定する特定部と、
前記特定部により特定された利用者に対して前記機器情報の入力を促す情報を出力する情報出力部と、
前記機器情報の入力を受け付ける入力受付部と、
前記入力受付部が受け付けた機器情報を用いて前記記憶部の記憶内容を更新する更新部と、
前記更新部による更新履歴を前記機器毎に記憶する更新履歴記憶部
として機能させるとともに、
前記特定部は、前記更新履歴記憶部に記憶された更新履歴が予め定められた条件を満たす機器に対応する利用者を特定するように前記コンピュータを機能させるためのプログラム。
【発明の詳細な説明】
【技術分野】
【０００１】
本発明は、エネルギー使用量管理装置及びプログラムに関する。
【背景技術】
【０００２】
昨今、社会的に省エネの必要性が高まっており、この流れに伴って電気、ガス等のエネルギーの使用量を明示したり推定したりするシステムが種々開発されている。例えば、特許文献１には、予測対象の住宅に設置される機器に対応するエネルギー消費量実測データを用いて、住宅のエネルギー消費量を予測する技術が提案されている。特許文献１においては、在宅時間を加味した在宅特性や、住宅のエネルギー消費の多少を示すエネルギー消費特性などを用いてエネルギー消費量を予測する技術が提案されている。また、特許文献２には、測定値と計算機において計算した潮流の計算値とのずれを算出し、ずれがある範囲より大なる場合には、模擬電力系統の各部の条件値を変更して潮流状態を計算し直し、計算結果である潮流値と模擬電力系統内の潮流実測値とのずれをある範囲内に抑える技術が提案されている。また、特許文献３には、電力潮流の計算値と電力潮流の実測値又は推定値との誤差が予め定められた値以上であるときに警報を出力する技術が提案されている。
【先行技術文献】
【特許文献】
【０００３】
【特許文献１】特開２００３−９７８４６号公報
【特許文献２】特開昭６３−２４９４２３号公報
【特許文献３】特開２０１０−２２６９０４号公報
【発明の概要】
【発明が解決しようとする課題】
【０００４】
本発明は、利用者による設定値の入力に係る作業負荷を軽減しつつ、実測値との差分の少ないエネルギー使用量のシミュレーションを行う技術を提供することを目的とする。
【課題を解決するための手段】
【０００５】
本発明の請求項１に係るエネルギー使用量管理装置は、複数の領域を有する空間に設置された機器のそれぞれについて、各機器におけるエネルギーの使用状況に関する機器情報を記憶するとともに、前記領域と利用者とを対応付けて記憶する記憶部と、前記記憶部に記憶された機器情報を用いて、前記複数の領域のそれぞれにおけるエネルギーの使用量を、予め定められたアルゴリズムに従って推定する推定部と、前記領域毎に設けられ、各領域におけるエネルギーの使用量を実測する複数の実測装置のそれぞれによって実測された使用量と前記推定部により推定された使用量との差分が予め定められた条件を満たす領域について、該領域に対応する利用者を前記記憶部の記憶内容を参照して特定する特定部と、前記特定部により特定された利用者に対して前記機器情報の入力を促す情報を出力する情報出力部と、前記機器情報の入力を受け付ける入力受付部と、前記入力受付部が受け付けた機器情報を用いて前記記憶部の記憶内容を更新する更新部と、前記更新部による更新履歴を前記機器毎に記憶する更新履歴記憶部と、を具備し、前記特定部は、前記更新履歴記憶部に記憶された更新履歴が予め定められた条件を満たす機器に対応する利用者を特定することを特徴とする。
【０００６】
本発明の請求項２に係るエネルギー使用量管理装置は、上記エネルギー使用量管理装置において、前記記憶部は、前記機器と前記利用者とを対応付けて記憶し、前記推定部は、前記記憶部に記憶された機器情報を用いて、前記複数の領域のそれぞれにおけるエネルギーの使用量を、予め定められたアルゴリズムに従って前記機器毎に推定し、前記特定部は、前記推定部により推定された使用量と前記実測装置によって実測された使用量との差分が予め定められた条件を満たす領域について、該領域に設置された機器のうち、前記推定部によって推定された使用量が予め定められた条件を満たす機器に対応する利用者を、前記記憶部の記憶内容を参照して特定することを特徴とする。
【０００７】
本発明の請求項３に係るエネルギー使用量管理装置は、前記機器の稼動状況を示す稼動状況情報を、通信手段を介して該機器から取得する取得部を具備し、前記推定部は、前記記憶部に記憶された機器情報及び前記取得部により取得された情報を用いて前記使用量を推定し、前記特定部は、前記推定部により推定された使用量と前記実測装置によって実測された使用量との差分が予め定められた条件を満たす領域について、該領域に設置された機器のうち、前記取得部により前記稼動状況情報が取得されていない機器に対応する利用者を、前記記憶部の記憶内容を参照して特定することを特徴とする。
【０００８】
本発明の請求項４に係るエネルギー使用量管理装置は、請求項１乃至３のいずれか１項に記載の態様において、前記特定部は、前記更新履歴で示される更新の頻度が予め定められた条件を満たす機器に対応する利用者を特定することを特徴とする。
また、本発明の請求項５に係るエネルギー使用量管理装置は、請求項１乃至３のいずれか１項に記載の態様において、前記特定部は、前記更新履歴で示される更新した前記機器情報の値の変更量が予め定められた条件を満たす機器に対応する利用者を特定することを特徴とする。
【０００９】
本発明の請求項６に係るプログラムは、コンピュータを、複数の領域を有する空間に設置された機器のそれぞれについて、各機器におけるエネルギーの使用状況に関する機器情報を記憶するとともに、前記領域と利用者とを対応付けて記憶する記憶部と、前記記憶部に記憶された機器情報を用いて、前記複数の領域のそれぞれにおけるエネルギーの使用量を、予め定められたアルゴリズムに従って推定する推定部と、前記領域毎に設けられ、各領域におけるエネルギーの使用量を実測する複数の実測装置のそれぞれによって実測された使用量と前記推定部により推定された使用量との差分が予め定められた条件を満たす領域について、該領域に対応する利用者を前記記憶部の記憶内容を参照して特定する特定部と、前記特定部により特定された利用者に対して前記機器情報の入力を促す情報を出力する情報出力部と、前記機器情報の入力を受け付ける入力受付部と、前記入力受付部が受け付けた機器情報を用いて前記記憶部の記憶内容を更新する更新部と、前記更新部による更新履歴を前記機器毎に記憶する更新履歴記憶部として機能させるとともに、前記特定部は、前記更新履歴記憶部に記憶された更新履歴が予め定められた条件を満たす機器に対応する利用者を特定するように前記コンピュータを機能させることを特徴とする。
【発明の効果】
【００１０】
請求項１に記載の発明によれば、推定された使用量と実測された使用量との差分が予め定められた条件を満たす領域に対応する利用者に対して設定値の入力を促さない場合に比べて、実測値との差分を少なくすることができる一方で、全ての利用者に対して設定値の入力を促す場合に比べれば、利用者による設定値の入力に係る作業負荷を軽減することができる。また、請求項１に記載の発明によれば、更新履歴が予め定められた条件を満たす機器に対応する利用者に対して入力を促さない場合に比べて、実測値との差分を少なくすることができる一方で、全ての利用者に対して設定値の入力を促す場合に比べれば、利用者による設定値の入力に係る作業負荷を軽減することができる。
請求項２に記載の発明によれば、推定された使用量が予め定められた条件を満たす機器に対応する利用者に対して入力を促さない場合に比べて、実測値との差分を少なくすることができる一方で、全ての利用者に対して設定値の入力を促す場合に比べれば、利用者による設定値の入力に係る作業負荷を軽減することができる。
請求項３に記載の発明によれば、通信手段を介して稼動状況情報が取得されていない機器に対応する利用者に対して入力を促さない場合に比べて、実測値との差分を少なくすることができる一方で、全ての利用者に対して設定値の入力を促す場合に比べれば、利用者による設定値の入力に係る作業負荷を軽減することができる。
請求項４に記載の発明によれば、更新の頻度が予め定められた条件を満たす機器に対応する利用者に対して入力を促さない場合に比べて、実測値との差分を少なくすることができる一方で、全ての利用者に対して設定値の入力を促す場合に比べれば、利用者による設定値の入力に係る作業負荷を軽減することができる。
請求項５に記載の発明によれば、更新した機器情報の値の変更量が予め定められた条件を満たす機器に対応する利用者に対して入力を促さない場合に比べて、実測値との差分を少なくすることができる一方で、全ての利用者に対して設定値の入力を促す場合に比べれば、利用者による設定値の入力に係る作業負荷を軽減することができる。
請求項６に記載の発明によれば、推定された使用量と実測された使用量との差分が予め定められた条件を満たす領域に対応する利用者に対して設定値の入力を促さない場合に比べて、実測値との差分を少なくすることができる一方で、全ての利用者に対して設定値の入力を促す場合に比べれば、利用者による設定値の入力に係る作業負荷を軽減することができる。
【図面の簡単な説明】
【００１１】
【図１】エネルギー使用量管理システムの概要を説明するための図である。
【図２】エネルギー使用量管理システムの構成の一例を示すブロック図である。
【図３】管理装置のハードウェア構成の一例を示すブロック図である。
【図４】計測ポイント定義記憶領域５２１の記憶内容の一例を示す図である。
【図５】社員情報記憶領域５２２の記憶内容の一例を示す図である。
【図６】計測値記憶領域５２３の記憶内容の一例を示す図である。
【図７】機器情報記憶領域５２４の記憶内容の一例を示す図である。
【図８】更新履歴記憶領域５２５の記憶内容の一例を示す図である。
【図９】管理装置の機能的構成の一例を示すブロック図である。
【図１０】管理装置の制御部が行う処理の流れを示すフローチャートである。
【図１１】エネルギーの使用量のシミュレーション結果を示す図である。
【図１２】更新履歴が表示された画面の一例を示す図である。
【発明を実施するための形態】
【００１２】
＜Ａ：構成＞
図１は、この発明の一実施形態に係るエネルギー使用量管理システムの概要を説明するための図である。図において、空間１００は、例えばビルや家屋のなかの空間であり、空間１００には複数の分電盤１ａ，１ｂ，…と、複数の機器２ａ，２ｂ，…とが設けられている。分電盤１ａ，１ｂ，…は、漏電遮断器や配線用遮断器を備え、外部から供給される電力を空間１００に設置された配線３ａ−１，３ａ−２，３ｂ−１，３ｂ−２，…に対して供給する。機器２ａ，２ｂ，…は、例えばパーソナルコンピュータや、蛍光灯、冷蔵庫等、電力を消費する機器であり、配線３ａ−１，３ａ−２，３ｂ−１，３ｂ−２，…のいずれかから供給される電力を利用して各種の動作を行う。以下の説明では、説明の便宜上、機器２ａ，２ｂ，…を各々区別する必要がない場合には、これらを「機器２」と称して説明する。また、分電盤１ａ，１ｂ，…についても同様であり、これらを各々区別する必要がない場合には、これらを「分電盤１」と称して説明する。
【００１３】
空間１００は、分電盤１ａからの電力が供給される機器２が設置されたエリア１０１ａ、分電盤１ｂからの電力が供給されるエリア１０１ｂ、等、各分電盤１ａ，１ｂ，…からの電力が供給される機器２が設置されたエリア１０１ａ，１０１ｂ，…に分けられる。エリア１０１ａ，１０ｂ，…は、例えば、壁で仕切られた部屋や、パーティションで区切られたワークエリアであってもよい。図１に示す例では、エリア１０１ａには、機器２ａ，２ｂ，…２ｇが設置されており、エリア１０１ｂには、機器２ｈ，２ｉ，…２ｍが設置されている。以下の説明では、説明の便宜上、エリア１０１ａ，１０１ｂ，…を各々区別する必要がない場合には、これらを「エリア１０１」と称して説明する。
【００１４】
分電盤１ａ，１ｂ，…にはそれぞれ、分電盤１ａにおいて電力を積算し計量する実測装置４ａ，４ｂ，…が設けられている。実測装置４ａ，４ｂ，…は、いわゆる電力量計であり、本発明に係る実測装置の一例に相当する。以下の説明では、説明の便宜上、実測装置４ａ，４ｂ，…を各々区別する必要がない場合には、これらを「実測装置４」と称して説明する。
【００１５】
図２には、この実施形態に係るシステムの構成の一例を示すブロック図である。図において、実測装置４ａ，４ｂ，…と、管理装置５とは、ＬＡＮ（Local Area Network）等の通信網６により接続される。管理装置５は、空間１００における電力の使用量のシミュレーションを行う装置であり、本発明に係るエネルギー使用量管理装置の一例に相当する。
【００１６】
図３は、管理装置５のハードウェア構成の一例を示すブロック図である。図において、制御部５１は、ＣＰＵ（Central Processing Unit）や、ＲＯＭ（Read Only Memory）、ＲＡＭ（Random Access Memory）を備え、ＲＯＭ又は記憶部５２に格納されたプログラムにしたがって管理装置５の制御を行う。記憶部５２は、ハードディスク等の記憶部であり、管理装置５の制御に関するプログラムなどの各種プログラムが格納されている。記憶部５２は、本発明に係る記憶部の一例に相当する。操作部５３は、キーボードやマウス等を備え、管理装置５の利用者はこの操作部５３を用いて各種操作を行う。表示部５４は、液晶ディスプレイ等の表示パネルを備え、制御部５１の制御の下に各種の画像を表示する。通信部５５は、外部装置と通信する通信部である。ここにおいて、外部装置とは、例えば、自装置と異なる記憶装置や、通信網を介して接続される装置である。通信部５５は、外部装置と有線により通信を行ってもよいし、赤外線通信などによって外部装置と無線により通信を行ってもよい。
【００１７】
なお、図３に示す例では、操作部５３と表示部５４とが管理装置５に内蔵される構成について説明したが、これに限らず、操作部５３や表示部５４が管理装置５に外付けされる構成であってもよい。この場合は、管理装置５に外部入力端子や外部出力端子を設け、この外部入力端子や外部出力端子に操作部や表示部を接続する構成とすればよい。
【００１８】
記憶部５２は、図示のように、計測ポイント定義記憶領域５２１と、社員情報記憶領域５２２と、計測値記憶領域５２３と、機器情報記憶領域５２４と、更新履歴記憶領域５２５とを有している。計測ポイント定義記憶領域５２１には、エネルギー使用量が明確になっている計測ポイント（この実施形態では、実測装置４）に関する情報が記憶される。図４は、計測ポイント定義記憶領域５２１の記憶内容の一例を示す図である。図示のように、この領域には、「計測ポイント」と「説明」との各項目が互いに関連付けて記憶される。これらの項目のうち、「計測ポイント」の項目には、「ポイントＡ」や「ポイントＢ」など、実測装置４の位置を示す情報（すなわちエリア１０１を識別する識別情報）が格納される。「説明」の項目には、「事務室１西分電盤」や「事務室２東分電盤」など、実測装置４が設置された位置の説明を示す情報が格納される。
【００１９】
社員情報記憶領域５２２には、各エリア１０１に座席がある社員等、各エリア１０１を利用する利用者に関する情報が格納される。図５は、社員情報記憶領域５２２の記憶内容の一例を示す図である。図示のように、この領域には、「座席場所」と「氏名」と「社員番号」と「メールアドレス」との各項目が互いに関連付けて格納される。これらの項目のうち、「座席場所」の項目には、エリア１０１を識別する識別情報が格納される。「氏名」の項目には、利用者の氏名を表す文字列が格納される。「社員番号」の項目には、利用者に割り当てられた社員番号が格納される。「メールアドレス」の項目には、利用者のメールアドレスを表す文字列が格納される。
【００２０】
計測値記憶領域５２３には、実測装置４による電力の実測結果が格納される。図６は、計測値記憶領域５２３の記憶内容の一例を示す図である。図示のように、この領域には、「計測ポイント」と「日時」と「電力量」との各項目が互いに関連付けて記憶される。これらの項目のうち、「計測ポイント」の項目には、エリア１０１を識別する識別情報が格納される。「日時」の項目には、計測した日時を示す情報が格納される。「電力量」の項目には、計測された電力量を表す情報が格納される。図６に示す例では、実測装置４によって１ヶ月毎に電力が計測され、計測結果を示す情報がこのテーブルに逐次蓄積される。
なお、計測結果は実測装置による計測に限らず、毎月電力会社から請求される検針票に記載されている電力の使用量の値等を利用し、手動で入力してもよい。
【００２１】
機器情報記憶領域５２４には、機器毎の電力使用量をシミュレーションするためのデータが格納される。図７は、機器情報記憶領域５２４の記憶内容の一例を示す図である。図示のように、この領域には、「機器ＩＤ」と「計測ポイント」と「機器名」と「管理者」と「機器タイプ」と「数」と「１台あたり消費電力（Ｗ）」と「１日あたり稼動時間」と「休日稼動する確率」との各項目が、互いに関連付けて記憶されている。これらの項目のうち、「機器ＩＤ」の項目には、機器２を識別する識別情報が格納される。「計測ポイント」の項目には、エリア１０１を識別する識別情報が格納される。「機器名」の項目には、機器２の名称を示す文字列が格納される。「管理者」の項目には、その機器２を管理する利用者を示す情報が格納される。「機器タイプ」の項目には、機器２の種別を示す情報が格納される。「数」の項目には、その機器２の数を示す情報が格納される。「１台あたり消費電力（Ｗ）」の項目には、機器２の１台あたりの消費電力を示す情報が格納される。「１日あたり稼動時間」の項目には、機器２の１日あたりの稼動時間を示す情報が格納される。「休日稼動する確率」の項目には、機器２が休日に稼動する確率を示す情報が格納される。
【００２２】
図７に示す各項目のうち、「数」と「１台あたり消費電力（Ｗ）」と「１日あたり稼動時間」と「休日稼動する確率」との項目に格納される情報は、本発明に係る機器情報の一例に相当する。これらの機器情報は、機器２におけるエネルギーの使用状況に関する情報であり、管理装置５の制御部５１が後述するエネルギー使用量のシミュレーション処理を行う際に用いられる情報である。図７に示すように、機器情報記憶領域５２４には、空間１００に設置された機器２のそれぞれについて、各機器２におけるエネルギーの使用状況に関する機器情報が記憶されているとともに、エリア１０１と利用者とが対応付けて記憶されている。
【００２３】
更新履歴記憶領域５２５には、機器情報に変更があった場合の履歴が蓄積される。図８は、更新履歴記憶領域５２５の記憶内容の一例を示す図である。図示のように、この領域には、「機器ＩＤ」と「変更日」と「変更者」と「更新内容」と「変更箇所」と「変更前」と「変更後」との各項目が互いに関連付けて記憶されている。これらの項目のうち、「機器ＩＤ」の項目には、機器２を識別する識別情報が格納される。「変更日」の項目には、機器情報が更新された日時を示す情報が格納される。「変更者」の項目には、変更した利用者を示す情報が格納される。「変更箇所」の項目には、変更した内容を示す情報が格納される。「変更前」の項目には、変更前の情報が格納され、「変更後」の項目には、変更後の情報が格納される。
【００２４】
次いで、管理装置５の機能的構成について、図面を参照しつつ説明する。図９は、管理装置５の機能的構成の一例を示す図である。図において、推定部５１１、特定部５１２、情報出力部５１３、入力受付部５１４及び更新部５１５は、制御部５１がＲＯＭ又は記憶部５２に記憶されたコンピュータプログラムを実行することによって実現される。なお、図中の矢印はデータの流れを概略的に示すものである。
【００２５】
図において、推定部５１１は、機器情報記憶領域５２４に記憶された機器情報を用いて、複数のエリア１０１のそれぞれにおける電力の使用量を、予め定められたアルゴリズムに従って推定する。推定部５１１は、本発明に係る推定部の一例である。具体的には、例えば、推定部５１１は、エリア１０１に設置された機器ｉの数ｘｉ、機器ｉにおける１時間あたりの消費電力量ｑｉ、１日あたりの稼動時間ｔｉ、休日稼動する確率ｐｉを用いて下記の（１）の計算を行うことによってエリア１０１における電力使用量Ｐを推定する。
0005899770.tif 000002
なお、機器情報を用いてエリア１０１の電力使用量を推定する態様はこれに限定されるものではなく、他のアルゴリズムを用いて計算を行うようにしてもよく、機器情報を用いて予め定められたアルゴリズムに従ってエリア１０１の電力使用量を推定するものであればどのようなものであってもよい。また、推定部５１１は、推定結果を示す情報を表示部５４に出力することによって、推定結果を表示部５４に表示させてもよい。
【００２６】
特定部５１２は、実測装置４によって実測された使用量（すなわち計測値記憶領域５２３に記憶された電力量（以下「実測使用量」という））と推定部５１１によって推定された使用量（以下「推定使用量」という）とをエリア１０１毎に比較し、両者の差分が予め定められた条件を満たすエリア１０１を特定する。特定部５１２は、本発明に係る特定部５１２の一例である。より具体的には、特定部５１２は、実測使用量と推定使用量との差分が予め定められた閾値以上であるエリア１０１を特定してもよい。更に、特定部５１２は、特定したエリア１０１に対応する利用者を、機器情報記憶領域５２４の記憶内容を参照して特定する。具体的には、例えば、機器情報記憶領域５２４の記憶内容が図７に例示する内容であって、「ポイントＡ」によって示されるエリア１０１が特定された場合には、特定部５１２は、「ポイントＡ」に対応付けて記憶されている「社員Ａ」、「社員Ｂ」、「社員Ｘ」によって示される利用者を特定する。
【００２７】
情報出力部５１３は、特定部５１２によって特定された利用者に対して機器情報の入力を促すための情報を出力する。情報出力部５１３は、本発明に係る情報出力部の一例である。より具体的には、この実施形態では、情報出力部５１３は、特定部５１２によって特定された利用者のメールアドレスを社員情報記憶領域５２２から読み出し、読み出したメールアドレスに対して、機器情報の入力を促す電子メールを送信することによって、上記情報を出力する。
【００２８】
入力受付部５１４は、利用者による機器情報の入力を受け付ける。入力受付部５１４は、本発明に係る入力受付部の一例である。入力受付部５１４は、例えば通信部５５を介して他の装置から通信網６を介して機器情報を受信するものであってもよく、また、例えば、利用者が操作部５３を操作することによって入力される機器情報の入力を受け付けるものであってもよい。
【００２９】
更新部５１５は、入力受付部５１５が受け付けた機器情報を用いて、機器情報記憶領域５２４に記憶された機器情報を更新する。更新部５１５は、本発明に係る更新部の一例である。具体的には、例えば、「社員Ａ」によって機器２が新たに追加された場合には、更新部５１５は、入力された機器情報を機器情報記憶領域５２４に追加するとともに、追加した旨を示す情報を更新履歴記憶領域５２５に記憶する。また、例えば、「社員Ａによって機器２の数が修正された場合には、更新部５１５は、機器情報記憶領域５２４の「数」の項目の値を修正するとともに、更新履歴記憶領域５２５に、機器２の数を修正した旨を示す情報を記憶する。
【００３０】
＜Ｂ：動作＞
次いで、管理装置５の制御部５１が行う動作について説明する。この実施形態では、管理装置５は、例えば、月に１回、週に１回など、装置に登録されている予め定められたタイミングでデータの不整合のチェックを行う。まず、管理装置５の制御部５１は、機器情報記憶領域５２４に記憶される機器情報の初期値を設定する（ステップＳ１）。機器情報の初期値としては、管理装置５の利用者が操作部５３を操作することによって入力するようにしてもよく、また、例えば、機器情報の初期値が羅列されたファイルを入力することによって初期値を入力するようにしてもよく、機器情報の初期値が入力される態様であればどのようなものであってもよい。
【００３１】
次いで、制御部５１は、予め定められたタイミング（例えば、月１回のタイミング、週１回のタイミング、等）がくるまで待機し（ステップＳ２；ＮＯ）、予め定められたタイミングになった場合に（ステップＳ２；ＹＥＳ）、エリア１０１毎にエネルギーの使用量の推定処理（シミュレーション処理）を行う（ステップＳ３）。
【００３２】
次いで、制御部５１は、計測値記憶領域５２３に記憶された実測使用量と推定された推定使用量とをエリア１０１毎に比較し、全てのエリアにおいて両者の差分が予め定められた閾値未満（例えば、誤差が５％未満、等）である場合は（ステップＳ４；ＮＯ）、ステップＳ５からステップＳ７の処理を行うことなく、ステップＳ２に戻り、予め定められたタイミングが到来するまで待機する（ステップＳ２；ＮＯ）。一方、ステップＳ４において、実測使用量と推定使用量との差分が予め定められた閾値以上であるエリア１０１がある場合には（ステップＳ４；ＹＥＳ）、制御部５１は、閾値以上であるエリア１０１に対応する利用者を、機器情報記憶領域５２４の記憶内容を参照して特定し（ステップＳ５）、特定した利用者に対して機器情報の入力を依頼するための情報を出力する（ステップＳ６）。この処理は、例えば、特定した利用者のメールアドレスに対して電子メールを送信するようにしてもよい。
【００３３】
ステップＳ６の処理を終えると、制御部５１は、利用者によって機器情報が入力されるまで待機する。利用者は、操作部５３を操作することによって機器情報を入力するようにしてもよく、また、他の装置から機器情報を送信させることによって管理装置５に対して機器情報を入力するようにしてもよい。制御部５１は、利用者によって機器情報が入力されると、入力された機器情報を用いて機器情報記憶領域５２４の記憶内容を更新する（ステップＳ７）。また、制御部５１は、更新した内容を更新履歴記憶領域５２５に登録する。
【００３４】
図１１の（ａ）は、実測装置４によるエリア１０１毎の実測結果を示す図であり、図１１の（ｂ）は、従来のシステムにおける使用量のシミュレーション結果を示す図である。また、図１１の（ｃ）は、この実施形態における使用量のシミュレーション結果を示す図である。図１１の（ａ）では、エリア１０１毎の使用量は実測されるものの、エリア１０１に設置された複数の機器２のそれぞれについての電力の使用量は不明であった。また、図１１の（ｂ）に示す従来のシステムにおいては、機器２毎に使用量が推定されるものの、その精度が十分でない場合には、図示のように、使用した機器が不明である「その他」の電力量の割合が大きくなってしまう場合があった。これに対し本実施形態では、推定使用量と実測使用量との差分が予め定められた条件を満たすエリア１０１に対応する利用者に対して情報の入力を促すことで、差分が大きいエリア１０１における使用量の推定値が是正され、より実測に近い推定結果が得られる。また、この実施形態では、空間１００を利用する全ての利用者に対してではなく、差分が大きい一部のエリア１０１に対応する利用者に対して情報の入力を促すから、利用者の入力に係る作業負荷が軽減される。
【００３５】
また、制御部５１は、利用者の操作に応じて、更新履歴記憶領域５２５の記憶内容に従って更新履歴を表す画像を表示部５４に表示する。図１２は、更新履歴が表示された画面の一例を示す図である。図１２に示す例では、エリア１０１毎の推定結果の時系列の変化を表すグラフが表示される。このとき、図１２に示すように、機器情報が更新されたタイミングＰ１，Ｐ２，…が表示されることによって、機器情報の更新と推定値の変化との関係が把握し易くなる。
【００３６】
＜Ｃ：変形例＞
以上、本発明の実施形態について説明したが、本発明は上述した実施形態に限定されることなく、他の様々な形態で実施可能である。以下にその例を示す。なお、以下の各態様を適宜に組み合わせてもよい。
（１）上述の実施形態では、エネルギー使用量として、電力の使用量を実測及び推定するシステムについて説明したが、エネルギー使用量は電力の使用量に限定されるものではなく、例えば、ガスの使用量や、冷水の使用量等、エネルギーの使用量を表すものであればどのようなものであってもよい。
【００３７】
（２）上述の実施形態において、管理装置５の制御部５１が、機器２の稼動状況を通信手段を介して収集し、収集結果を用いてエネルギー使用量を推定するようにしてもよい。すなわち、管理装置５に、機器２の稼動状況を通信状況を介して収集する機器稼動状況収集部５１６（図９に点線で図示）を設ける構成としてもよい。より具体的には、例えば、管理装置５の機器情報記憶領域５２４に、ＩＰアドレスやＭＡＣアドレスを登録しておく構成とし、機器稼動状況収集部５１６が、登録されたＩＰアドレスやＭＡＣアドレスを用いてＰＩＮＧコマンドやＡＲＰコマンドを機器２に送信することによって機器２の稼動の有無を判定するようにしてもよい。この場合、制御部５１は、判定結果を統計することによって稼動時間を推定し、推定した稼動時間を用いてエネルギーの使用量を推定する。この場合は、機器２の稼動時間や、休日稼働率が随時正確に更新されるため、利用者が稼動時間や休日稼働率を入力する必要がなく、利用者の入力に係る作業負荷が軽減される。
【００３８】
また、制御部５１が、通信手段を介して機器２の製品種別を取得し、取得した製品種別に対応する消費電力を予め記憶されたテーブルを参照して特定するようにしてもよい。この場合は、機器２の消費電力を利用者が入力する必要がなく、利用者の作業負荷が軽減される。
【００３９】
（３）上述の実施形態において、制御部５１が、実測使用量と推定使用量との差分が予め定められた条件を満たすエリア１０１（以下「特定エリア」という）に対応する利用者のうち、エネルギーの使用量が大きい機器２に対応する利用者に対して入力を促す情報を出力するようにしてもよい。この場合は、制御部５１が、特定エリア１０１に設置された機器２のうち、推定使用量が予め定められた条件を満たす（例えば、推定使用量が予め定められた閾値以上である）機器２に対応する利用者を、機器情報記憶領域５２４の記憶内容を参照して特定するようにしてもよい。このようにすることで、機器情報の入力を促す利用者が絞られ、利用者の入力に係る作業負荷が軽減される。
【００４０】
（４）上述の実施形態において、制御部５１が、実測使用量と推定使用量との差分が予め定められた条件を満たす特定エリア１０１に対応する利用者のうち、通信網６に接続されていない機器２に対応する利用者に対して入力を促す情報を出力するようにしてもよい。この場合は、制御部５１が、例えばＰＩＮＧコマンド等の各種コマンドを用いて機器２の稼動状況を示す稼動状況情報を通信手段を介して機器２から取得することによって各機器２が通信網６に接続されているか否かを判定し、特定エリア１０１に設置された機器２のうち、通信網６に接続されていない機器２（すなわち稼動状況情報が取得されていない機器２）に対応する利用者を、機器情報記憶領域５２４の記憶内容を参照して特定するようにしてもよい。
【００４１】
（５）上述の実施形態において、制御部５１が、実測使用量と推定使用量との差分が予め定められた条件を満たす特定エリア１０１に対応する利用者のうち、機器情報の更新履歴が予め定められた条件を満たす（例えば、更新頻度が閾値以上である、更新頻度が閾値未満である、更新した機器情報の値の変更量が閾値以上である、等）機器２に対応する利用者に対して入力を促す情報を出力するようにしてもよい。
【００４２】
（６）上述の実施形態では、制御部５１は、予め定められたタイミング（月一回、週一回、等）において、エネルギーの使用量の推定処理と実測使用量と推定使用量との比較処理とを行ったが、推定処理と比較処理とを行うタイミングはこれに限らず、例えば、推定処理は一日１回毎日行う一方、月１回のタイミングで比較処理を行うようにしてもよく、また、例えば、推定処理は毎週１回行う一方、利用者によって比較処理を行う旨の操作がなされた場合に、比較処理を行うようにしてもよい。
【００４３】
（７）上述の実施形態では、機器情報として、各エリア１０１における機器２の「数」と「１台あたり消費電力（Ｗ）」と「１日あたり稼動時間」と「休日稼動する確率」とを用いたが、機器情報はこれらに限定されるものではなく、他の情報であってもよい。要は、機器情報は、機器２におけるエネルギーの使用状況に関する情報であって、制御部５１がエネルギー使用量の推定処理を行う際に用いられる情報であればどのようなものであってもよい。
【００４４】
（８）上述の実施形態では、制御部５１は、利用者に対して、機器情報の入力を促す電子メールを送信することによって、機器情報の入力を促す情報を出力したが、機器情報の入力を促すための情報の出力の態様はこれに限定されるものではない。例えば、音声メッセージや警告音を出力することによって入力を促すようにしてもよく、また、例えば、ＬＥＤ等の光源を点灯させるための制御信号を光源に対して出力し、光源を点灯させることによって入力を促すようにしてもよい。要は、制御部５１が、利用者に対して機器情報の入力を促すための情報を出力する態様であればどのようなものであってもよい。
【００４５】
（９）上述の実施形態では、管理装置５と実測装置４とがそれぞれ別体として構成されていたが、これに限らず、管理装置５の機能と実測装置４の機能を備えた単体の装置を用いるようにしてもよい。
また、上述の実施形態では単体の管理装置５を用いたが、これに限らず、通信手段で接続された２以上の装置が、上述した実施形態に係る管理装置５の機能を分担するようにし、それら複数の装置を備えるシステムが同実施形態の管理装置５を実現するようにしてもよい。例えば、エネルギーの使用量を推定する機能を備えたコンピュータ装置と、推定使用量と実測使用量との差分に応じて利用者に入力を促す情報を出力するコンピュータ装置とが通信手段で接続されたシステムとして構成されていてもよい。
【００４６】
（１０）上述の実施形態において管理装置５の制御部５１によって実行されるプログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネット等の通信網経由でダウンロードさせることも可能である。なお、このような制御を行う制御手段としてはＣＰＵ以外にも種々の装置を適用することができ、例えば、専用のプロセッサなどを用いてもよい。
【符号の説明】
【００４７】
１…分電盤、２…機器、３…配線、４…実測装置、５…管理装置、６…通信網、５１…制御部、５２…記憶部、５３…操作部、５４…表示部、５５…通信部、５１１…推定部、５１２…特定部、５１３…情報出力部、５１４…入力受付部、５１５…更新部、５１６…機器稼動状況収集部
【図１】
0005899770.tif 000003
【図２】
0005899770.tif 000004
【図３】
0005899770.tif 000005
【図４】
0005899770.tif 000006
【図５】
0005899770.tif 000007
【図６】
0005899770.tif 000008
【図７】
0005899770.tif 000009
【図８】
0005899770.tif 000010
【図９】
0005899770.tif 000011
【図１０】
0005899770.tif 000012
【図１１】
0005899770.tif 000013
【図１２】
0005899770.tif 000014